(57)【要約】【課題】  駐車券などの紙媒体あるいは小型無線端末などの専用の端末装置を用いることなく、店舗での支払代金に応じて割り引いた駐車料金を算出することができる駐車料金算出装置および駐車料金算出方法を提供する。【解決手段】  入庫データ記録部２３１は、入庫電子マネー決済部１３から受信した電子マネーＩＤおよび入庫時刻を関連付けて入庫記録データ２４２として記憶する。支払い決済部２３３は、電子マネーで支払われた支払代金によって受けることができる無料駐車時間を、駐車料金マスタ２４１から抽出し、抽出した無料駐車時間で入庫記録データ２４２の無料駐車時間を更新する。駐車料金演算部２３５は、出庫時刻と、入庫記録データ２４２として記憶される入庫時刻および無料駐車時間とから、割り引かれた駐車料金を算出する。出庫電子マネー決済部３３は、割り引かれた駐車料金をＩＣカード３の電子マネーから引き落とす。【選択図】      図１
2010286928.tif 000002
【特許請求の範囲】
【請求項１】
駐車場の入出庫口に設置され、店舗での代金を決済するための決済装置を識別するための識別情報が記録されている決済装置から識別情報を読み取る読取部と、
車両の入出庫時に読取部によって識別情報が読み取られたときの入出庫時刻を取得する入出庫時刻取得部と、
前記店舗で決済装置によって決済された決済状況を、決済装置ごとの決済状況を記憶する記憶部から取得する決済状況取得部と、
決済状況取得部によって取得された決済状況に応じて、駐車料金を割り引く割引条件を決定する割引条件決定部と、
入出庫時刻取得部によって取得された入出庫時刻から駐車時間を算出する駐車時間算出部と、
駐車時間算出部によって算出された駐車時間と割引条件決定部によって決定された割引条件とから割り引かれた駐車料金を算出する駐車料金算出部とを含むことを特徴とする駐車料金算出装置。
【請求項２】
前記決済装置は、電子マネーを表す電子マネー情報が記録され、
前記決済装置に記録される電子マネー情報が示す電子マネーによって決済する決済部を含み、
決済部は、前記駐車料金算出部によって算出された割り引かれた駐車料金が０円でないとき、前記駐車料金算出部によって算出された割り引かれた駐車料金を、前記決済装置に記録される電子マネー情報が示す電子マネーによって決済することを特徴とする請求項１に記載の駐車料金算出装置。
【請求項３】
前記決済装置が使用された決済状況は、前記入出庫時刻取得部によって取得された入出庫時刻から算出される駐車時間の間に、前記駐車場に係る店舗で、前記決済装置に記録される識別情報に係る支払方法によって支払われた支払代金の累積金額であることを特徴とする請求項１または２に記載の駐車料金算出装置。
【請求項４】
駐車場の入出庫口に設置され、店舗での代金を決済するための決済装置を識別するための識別情報が記録されている決済装置から識別情報を読み取る読取部を含み、車両の入出庫時に読取部によって識別情報が読み取られたときの入出庫時刻に基づいて駐車料金を算出する駐車料金算出装置によって駐車料金を算出する駐車料金算出方法であって、
読取部によって識別情報が読み取られたときの入出庫時刻を取得する入出庫時刻取得ステップと、
前記店舗で決済装置によって決済された決済状況を、決済装置ごとの決済状況を記憶する記憶部から取得する決済状況取得ステップと、
決済状況取得ステップで取得された決済状況に応じて、駐車料金を割り引く割引条件を決定する割引条件決定ステップと、
入出庫時刻取得ステップで取得された入出庫時刻から駐車時間を算出する駐車時間算出ステップと、
駐車時間算出ステップで算出された駐車時間と割引条件決定ステップで決定された割引条件とから割り引かれた駐車料金を算出する駐車料金算出ステップとを含むことを特徴とする駐車料金算出方法。
【発明の詳細な説明】
【技術分野】
【０００１】
本発明は、店舗などに設置される駐車場の駐車料金を店舗での支払代金に応じて割り引いて算出する駐車料金算出装置および駐車料金算出方法に関する。
【背景技術】
【０００２】
駐車場を有する食品スーパーマーケットなどの店舗は、自店舗で買い物をした顧客に対してのみ、駐車料金を無料にする等のサービスを提供している。駐車料金を無料にするサービスは、車両が入出庫する時刻の記録、および買い物金額の確認などが必要であり、概ね次のように行われる。
【０００３】
第１番目に、顧客は、駐車場の入口に設置されるゲートで、入庫時刻を磁気記録した駐車券を受け取る。第２番目に、顧客は、店内に駐車券を持込み、買物金額を証明するレシートとともに店内の従業員に駐車料金無料サービスを依頼する。第３番目に、店内従業員は、買物金額をチェックして、買物金額に応じた駐車料金サービス情報を駐車券に磁気記録する。第４番目に、顧客は、駐車場の出口に設置されたゲートに駐車券を挿入して精算し、出庫する。
【０００４】
駐車料金の算出を改善する従来の技術として、特許文献１に記載される駐車料金精算システムがある。この駐車料金精算システムは、車両ごとに予め設定された車両固有情報を発信可能な小型無線端末を用いる。この小型無線端末は、入口側装置、出口側装置およびＰＯＳ端末とデータ通信可能である。駐車料金精算システムは、入口側装置が車両固有情報を受信すると、その受信時刻を入場時刻とし、受信した車両固有情報に対応して記憶する。そして、ＰＯＳ端末が車両固有情報を受信すると、その車両固有情報に対応して買上商品の合計金額データを累計記憶する。さらに、出口側装置が車両固有情報を受信すると、その受信時刻を退場時刻とし、該当車両固有情報に対応する入場時刻と買上合計金額とから駐車料金を精算する。
【先行技術文献】
【特許文献】
【０００５】
【特許文献１】特開平７−２９６２０７号公報
【発明の概要】
【発明が解決しようとする課題】
【０００６】
しかしながら、上述した従来の技術は、入庫時刻を記録するための駐車券などの紙媒体を用いるので、顧客はその駐車券を携行する必要があり、紛失のリスクがある。また、店舗内に、店舗での支払代金に応じて割り引く駐車料金を算出して駐車券に磁気記録する駐車券決済処理端末を設置し、さらにその駐車券決済処理端末を操作する決済処理要員が必要になる。したがって、顧客および店舗従業員ともに面倒な手続きを行う必要がある。
【０００７】
特許文献１に記載される駐車料金精算システムは、駐車券などの紙媒体を用いる必要はないが、小型無線端末などの専用の端末装置を用意して、顧客に携帯してもらう必要がある。
【０００８】
本発明の目的は、駐車券などの紙媒体あるいは小型無線端末などの専用の端末装置を用いることなく、店舗での支払代金に応じて割り引いた駐車料金を算出することができる駐車料金算出装置および駐車料金算出方法を提供することである。
【課題を解決するための手段】
【０００９】
本発明は、駐車場の入出庫口に設置され、店舗での代金を決済するための決済装置を識別するための識別情報が記録されている決済装置から識別情報を読み取る読取部と、
車両の入出庫時に読取部によって識別情報が読み取られたときの入出庫時刻を取得する入出庫時刻取得部と、
前記店舗で決済装置によって決済された決済状況を、決済装置ごとの決済状況を記憶する記憶部から取得する決済状況取得部と、
決済状況取得部によって取得された決済状況に応じて、駐車料金を割り引く割引条件を決定する割引条件決定部と、
入出庫時刻取得部によって取得された入出庫時刻から駐車時間を算出する駐車時間算出部と、
駐車時間算出部によって算出された駐車時間と割引条件決定部によって決定された割引条件とから割り引かれた駐車料金を算出する駐車料金算出部とを含むことを特徴とする駐車料金算出装置である。
【００１０】
また本発明は、前記決済装置は、電子マネーを表す電子マネー情報が記録され、
前記決済装置に記録される電子マネー情報が示す電子マネーによって決済する決済部を含み、
決済部は、前記駐車料金算出部によって算出された割り引かれた駐車料金が０円でないとき、前記駐車料金算出部によって算出された割り引かれた駐車料金を、前記決済装置に記録される電子マネー情報が示す電子マネーによって決済することを特徴とする。
【００１１】
また本発明は、前記決済装置が使用された決済状況は、前記入出庫時刻取得部によって取得された入出庫時刻から算出される駐車時間の間に、前記駐車場に係る店舗で、前記決済装置に記録される識別情報に係る支払方法によって支払われた支払代金の累積金額であることを特徴とする。
【００１２】
また本発明は、駐車場の入出庫口に設置され、店舗での代金を決済するための決済装置を識別するための識別情報が記録されている決済装置から識別情報を読み取る読取部を含み、車両の入出庫時に読取部によって識別情報が読み取られたときの入出庫時刻に基づいて駐車料金を算出する駐車料金算出装置によって駐車料金を算出する駐車料金算出方法であって、
読取部によって識別情報が読み取られたときの入出庫時刻を取得する入出庫時刻取得ステップと、
前記店舗で決済装置によって決済された決済状況を、決済装置ごとの決済状況を記憶する記憶部から取得する決済状況取得ステップと、
入出庫時刻取得ステップで取得された入出庫時刻から駐車時間を算出する駐車時間算出ステップと、
駐車時間算出ステップで算出された駐車時間と割引条件決定ステップで決定された割引条件とから割り引かれた駐車料金を算出する駐車料金算出ステップとを含むことを特徴とする駐車料金算出方法である。
【発明の効果】
【００１３】
本発明によれば、駐車場の入出庫口に設置される読取部によって、店舗での代金を決済するための決済装置を識別するための識別情報が記録されている決済装置から識別情報が読み取られる。入出庫時刻取得部によって、車両の入出庫時に読取部によって識別情報が読み取られたときの入出庫時刻が取得される。決済状況取得部によって、前記店舗で決済装置によって決済された決済状況が、決済装置ごとの決済状況を記憶する記憶部から取得される。割引条件決定部によって、決済状況取得部によって取得された決済状況に応じて、駐車料金を割り引く割引条件が決定される。駐車時間算出部によって、入出庫時刻取得部によって取得された入出庫時刻から駐車時間が算出される。そして、駐車料金算出部によって、駐車時間算出部によって算出された駐車時間と割引条件決定部によって決定された割引条件とから割り引かれた駐車料金が算出される。
【００１４】
したがって、駐車券などの紙媒体あるいは小型無線端末などの専用の端末装置を用いることなく、ＩＣカードなどの決済装置が使用された決済状況、たとえばＩＣカードによる店舗での支払代金に応じて割り引いた駐車料金を算出することができる。
【００１５】
また本発明によれば、前記決済装置によって、電子マネーを表す電子マネー情報が記録される。前記決済装置に記録される電子マネー情報が示す電子マネーによって決済する決済部によって、前記駐車料金算出部によって算出された割り引かれた駐車料金が０円でないとき、前記駐車料金算出部によって算出された割り引かれた駐車料金が、前記決済装置に記録される電子マネー情報が示す電子マネーによって決済される。したがって、駐車料金の精算を決済装置に記録される電子マネーで行うことができ、顧客は、出庫口で、決済装置で識別情報、たとえば電子マネーＩＤを読み取らせるとともに、その決済装置の電子マネーで割り引かれた駐車料金を精算することができる。
【００１６】
また本発明によれば、前記決済装置が使用された決済状況は、前記入出庫時刻取得部によって取得された入出庫時刻から算出される駐車時間の間に、前記駐車場に係る店舗で、前記決済装置に記録される識別情報に係る支払方法によって支払われた支払代金の累積金額である。したがって、駐車場に係る複数の店舗で、電子マネーでの支払方法およびクレジットカードでの支払方法など識別情報と対応付けが可能な支払方法での支払代金について適用可能である。
【００１７】
また本発明によれば、駐車場の入出庫口に設置され、店舗での代金を決済するための決済装置を識別するための識別情報が記録されている決済装置から識別情報を読み取る読取部を含み、車両の入出庫時に読取部によって識別情報が読み取られた入出庫時刻に基づいて駐車料金を算出する駐車料金算出装置によって駐車料金を算出するにあたって、入出庫時刻取得ステップでは、読取部によって識別情報が読み取られたときの入出庫時刻を取得する。決済状況取得ステップでは、前記店舗で決済装置によって決済された決済状況を、決済装置ごとの決済状況を記憶する記憶部から取得する。割引条件決定ステップでは、決済状況取得ステップで取得された決済状況に応じて、駐車料金を割り引く割引条件を決定する。駐車時間算出ステップでは、入出庫時刻取得ステップで取得された入出庫時刻から駐車時間を算出する。そして、駐車料金算出ステップでは、駐車時間算出ステップで算出された駐車時間と割引条件決定ステップで決定された割引条件とから割り引かれた駐車料金を算出する。
【００１８】
したがって、駐車券などの紙媒体あるいは小型無線端末などの専用の端末装置を用いることなく、ＩＣカードなどの決済装置が使用された決済状況、たとえばＩＣカードによる店舗での支払代金に応じて割り引いた駐車料金を算出することができる。
【図面の簡単な説明】
【００１９】
【図１】本発明の一実施形態である駐車料金精算システム１の構成を示すブロック図である。
【図２】駐車料金精算システム１での駐車料金の精算を説明するための図である。
【図３】車両２を入庫するときの駐車料金精算システム１での入庫処理を示すフローチャートである。
【図４】店舗で代金を支払うときの駐車料金精算システム１での支払処理を示すフローチャートである。
【図５】車両２を出庫するときの駐車料金精算システム１での出庫処理を示すフローチャートである。
【発明を実施するための形態】
【００２０】
図１は、本発明の一実施形態である駐車料金精算システム１の構成を示すブロック図である。駐車料金算出装置である駐車料金精算システム１は、駐車場を有する店舗などに設置されるシステムである。店舗は、スーパーマーケットなど商品を販売する店舗だけでなく、ボーリングおよび映画などのサービスを提供する店舗も含まれる。駐車料金に対する割引サービスは、これらの店舗で支払われた支払代金に応じて駐車料金を安くするサービスである。本発明に係る駐車料金算出方法は、駐車料金精算システム１で実行される。
【００２１】
駐車料金精算システム１は、駐車場入庫ゲート制御装置１０、入庫電子マネー読み取りデバイス１１、入庫開閉ゲート１２、ＰＯＳ（Point Of Sales）システム２０、駐車場出庫ゲート制御装置３０、出庫電子マネー読み取りデバイス３１および出庫開閉ゲート３２を含んで構成される。駐車場入庫ゲート制御装置１０、駐車場出庫ゲート制御装置３０およびＰＯＳシステム２０は、ＬＡＮ（Local Area Network）などのネットワークによって接続されている。
【００２２】
駐車場入庫ゲート制御装置１０は、入庫電子マネー決済部１３および入庫ゲート制御部１４を含んで構成され、入庫電子マネー読み取りデバイス１１、入庫開閉ゲート１２およびＰＯＳシステム２０に接続される。入庫電子マネー読み取りデバイス１１は、代金を支払う人を識別するための識別情報が記録される決済装置から識別情報を読み取り、読み取った識別情報を入庫電子マネー決済部１３に送る。入庫電子マネー読み取りデバイス１１は、たとえばＩＣカード読み取り装置によって構成される。
【００２３】
決済装置は、たとえば電子マネーによって決済することができる携帯電話機あるいはＩＣ（Integrated Circuit）カード、あるいはクレジットによって決済することができるクレジットカードなど、決済装置を識別するための識別情報が記録されている記録装置である。電子マネーによって決済することができる携帯電話機あるいはＩＣカードには、識別情報として電子マネーＩＤ（Identification）、および電子マネーを表す電子マネー情報が記録されている。電子マネーは、貨幣価値をデジタルデータで表したものであり、現金の代わりに使用することができる。以下、決済装置としてＩＣカードを例に、そして、識別情報として電子マネーＩＤを例に説明する。
【００２４】
入庫開閉ゲート１２は、入庫ゲート制御部１４からゲートを開くことを指示されると、ゲートを開けて車両の通行を可能とし、車両の通過を確認すると、ゲートを閉めて車両の通行を不可とする。入庫電子マネー決済部１３は、入庫電子マネー読み取りデバイス１１から受け取った電子マネーＩＤを、ＰＯＳシステム２０に送信する。入庫ゲート制御部１４は、ＰＯＳシステム２０からゲートバーオープン指令を受信すると、ゲートを開くことを入庫開閉ゲート１２に指示する。
【００２５】
駐車場出庫ゲート制御装置３０は、出庫電子マネー決済部３３および出庫ゲート制御部３４を含んで構成され、出庫電子マネー読み取りデバイス３１、出庫開閉ゲート３２およびＰＯＳシステム２０に接続される。
【００２６】
出庫電子マネー読み取りデバイス３１は、たとえばＩＣカード読み取り書き込み装置によって構成され、ＩＣカードから電子マネーＩＤを読み取り、読み取った電子マネーＩＤを出庫電子マネー決済部３３に送る。また、ＩＣカードに記録される電子マネーの金額を、出庫電子マネー決済部３３から受け取る割り引かれた駐車料金だけ減額した金額に書き換える。
【００２７】
出庫開閉ゲート３２は、出庫ゲート制御部３４からゲートを開くことを指示されると、ゲートを開けて車両の通行を可能とし、車両の通過を確認すると、ゲートを閉めて車両の通行を不可とする。出庫電子マネー決済部３３は、出庫電子マネー読み取りデバイス３１から受け取った電子マネーＩＤを、ＰＯＳシステム２０の送信し、ＰＯＳシステム２０から受け取る割り引かれた駐車料金を出庫電子マネー読み取りデバイス３１に送る。出庫ゲート制御部３４は、ＰＯＳシステム２０からゲートバーオープン指令を受信すると、ゲートを開くことを出庫開閉ゲート３２に指示する。入庫電子マネー読み取りデバイス１１および出庫電子マネー読み取りデバイス３１は、読取部である。出庫電子マネー読み取りデバイス３１および出庫電子マネー決済部３３は、決済部である。
【００２８】
ＰＯＳシステム２０は、サーバ２０１およびＰＯＳ端末２０２を含んで構成される。ＰＯＳ端末２０２は、図１には１台しか示していないが、複数台であってもよい。サーバ２０１は、演算制御装置２３および記憶装置２４を含んで構成される。ＰＯＳ端末２０２は、入力装置２１、出力装置２２および図示しない演算制御装置を含んで構成される。
【００２９】
入力装置２１は、たとえばキーボード２１１、マウス２１２、スキャナ２１３、タッチパネル２１４および電子マネー読み取りデバイス２１５を含んで構成され、入力された情報を図示しない演算制御装置に送る。特に、電子マネー読み取りデバイス２１５は、ＩＣカードから電子マネーＩＤを読み取り、読み取った電子マネーＩＤを図示しない演算制御装置に送る。
【００３０】
出力装置２２は、たとえばディスプレイ２２１およびプリンタ２２２を含んで構成され、図示しない演算制御装置から受け取る情報をディスプレイ２２１またはプリンタ２２２に出力する。ＰＯＳ端末２０２の図示しない演算制御装置は、入力装置２１および出力装置２２を制御し、入力装置２１から受け取る情報をサーバ２０１の演算制御装置２３に送信し、演算制御装置２３から受信する情報を出力装置２２に送る。
【００３１】
演算制御装置２３は、入庫データ記録部２３１、ゲート開閉指示制御部２３２、支払い決済部２３３、タイマ制御部２３４および駐車料金演算部２３５を含んで構成される。記憶部である記憶装置２４は、たとえば駐車料金マスタ２４１および入庫記録データ２４２を記憶している。
【００３２】
駐車料金マスタ２４１は、駐車場に係る店舗での支払代金、たとえば買物金額に応じた無料サービス時間を記憶するデータである。図１に示した駐車料金マスタ２４１は、「買物金額２０００円未満」に対する無料サービス時間が「１時間」であり、「買物金額２０００円以上」に対する無料サービス時間が「２時間」であることを示している。無料サービス時間は、駐車料金が無料になる最大時間である。入庫記録データ２４２は、たとえば入庫時刻および無料駐車時間を電子マネーＩＤごとに記憶するデータである。無料駐車時間は、無料サービス時間である。図１に示した入庫記録データ２４２は、電子マネーＩＤ「１２３……４５」については入庫時刻が「１０：１０」であり、無料駐車時間が「２時間」であり、電子マネーＩＤ「５６７……８９」については入庫時刻が「１２：３５」であり、無料駐車時間が「１時間」である。
【００３３】
入庫データ記録部２３１は、出庫電子マネー決済部３３から受信する電子マネーＩＤを記憶装置２４に入庫記録データ２４２として記憶する。そして、ゲート開閉指示制御部２３２は、入庫データ記録部２３１が電子マネーＩＤおよび入庫時刻を入庫記録データ２４２として記憶すると、ゲートバーオープン指令を入庫ゲート制御部１４に送信する。また、駐車料金演算部２３５が駐車料金引き落とし指令を出庫電子マネー決済部３３に送信すると、ゲートバーオープン指令を出庫ゲート制御部３４に送信する。
【００３４】
支払い決済部２３３は、電子マネー読み取りデバイス２１５から電子マネーＩＤを受け取ると、入庫記録データ２４２を検索し、受け取った電子マネーＩＤがあるか否かを判定する。受け取った電子マネーＩＤが入庫記録データ２４２にあると、その電子マネーＩＤの電子マネーで支払われた支払代金を記憶装置２４から読み取る。
【００３５】
そして、支払い決済部２３３は、読み取った支払代金によって受けることができる無料サービス時間を駐車料金マスタ２４１に基づいて決定し、決定した無料サービス時間で入庫記録データ２４２の無料駐車時間を更新する。すなわち、受け取った電子マネーＩＤと同じ電子マネーＩＤの無料駐車時間に代えて、抽出した無料サービス時間を記憶する。
【００３６】
支払い決済部２３３は、決済状況取得部および割引条件決定部である。無料サービス時間は、割引条件である。記憶装置２４から支払代金を読み取ることは、決済状況を取得することである。決済状況は、入出庫時刻から算出される駐車時間の間に、前記駐車場に係る店舗で、ＩＣカードに記録される識別情報、たとえば電子マネーＩＤに係る支払方法によって支払われた支払代金の累積金額である。支払代金の累計金額は、記憶装置２４に記憶される。
【００３７】
入出庫時刻取得部であるタイマ制御部２３４は、時刻を計時する計時部を有し、出庫電子マネー決済部３３から電子マネーＩＤを受信した時刻を、計時部を参照して取得し、取得した時刻を入庫記録データ２４２の入庫時刻として、電子マネーＩＤに関連付けて記憶装置２４に記憶する。また、出庫電子マネー決済部３３から電子マネーＩＤを受信した時刻を、計時部を参照して取得し、取得した時刻を出庫時刻として駐車料金演算部２３５に送る。
【００３８】
駐車料金演算部２３５は、出庫電子マネー決済部３３から電子マネーＩＤを受信すると、受信した電子マネーＩＤが入庫記録データ２４２にあるか否かを判定する。受け取った電子マネーＩＤが入庫記録データ２４２にあると、タイマ制御部２３４から受け取った出庫時刻と、入庫記録データ２４２として記憶される入庫時刻のうち、出庫電子マネー決済部３３から受信した電子マネーＩＤと同じ電子マネーＩＤの入庫時刻とから駐車時間を算出する。
【００３９】
そして、駐車料金演算部２３５は、算出した駐車時間と、出庫電子マネー決済部３３から受信した電子マネーＩＤと同じ電子マネーＩＤの無料駐車時間とから、割り引かれた駐車料金を算出する。そして、算出した駐車料金の引き落としを指示する駐車料金引き落とし指令を、出庫電子マネー決済部３３に送信する。駐車料金演算部２３５は、駐車時間算出部および駐車料金算出部である。
【００４０】
図２は、駐車料金精算システム１での駐車料金の精算を説明するための図である。図２（ａ）は、駐車場の入庫口での処理である。入庫電子マネー読み取りデバイス１１は、車両２に搭乗する人が所有するＩＣカード３に記録される電子マネーＩＤを読み取り、読み取った電子マネーＩＤを、入庫電子マネー決済部１３を介してサーバ２０１に送信する。サーバ２０１は、受信した電子マネーＩＤを入庫時刻とともに、入庫記録データ２４２として記憶する。
【００４１】
図２（ｂ）は、店舗内での処理である。顧客が支払うべき代金をＩＣカード３の電子マネーで精算したとき、ＰＯＳ端末２０２は、そのＩＣカード３から読み取った電子マネーＩＤと、支払代金とをサーバ２０１に送る。サーバ２０１は、受け取った支払代金を記憶装置２４に記憶する。そして、受け取った電子マネーＩＤが入庫記録データ２４２にあると、ＩＣカード３の電子マネーで支払われた支払代金に応じた無料サービス時間を、入庫記録データ２４２の無料駐車時間として、その電子マネーＩＤに関連付けて記憶する。
【００４２】
図２（ｃ）は、駐車場の出庫口での処理である。出庫電子マネー読み取りデバイス３１は、車両２に搭乗する人が所有するＩＣカード３に記録される電子マネーＩＤを読み取り、読み取った電子マネーＩＤを、出庫電子マネー決済部３３を介してサーバ２０１に送信する。サーバ２０１は、駐車料金精算処理を行って引き落とし金額を算出し、算出した引き落とし金額を、出庫電子マネー決済部３３を介して出庫電子マネー読み取りデバイス３１に送信する。引き落とし金額は、割り引かれた駐車料金である。
【００４３】
駐車料金精算処理では、サーバ２０１は、受信した電子マネーＩＤが入庫記録データ２４２にあると、出庫電子マネー読み取りデバイス３１から電子マネーＩＤを受信した出庫時刻と、入庫記録データ２４２として記憶される入庫時刻および無料駐車時間とから、割り引かれた駐車料金を算出する。そして、算出した割り引かれた駐車料金を出庫電子マネー決済部３３に送信する。出庫電子マネー決済部３３は、受信した算出した割り引かれた駐車料金が０円でないとき、出庫電子マネー読み取りデバイス３１によって、受信した割り引かれた駐車料金をＩＣカード３の電子マネーから引き落とす。
【００４４】
図３は、車両２を入庫するときの駐車料金精算システム１での入庫処理を示すフローチャートである。入庫電子マネー読み取りデバイス１１がＩＣカード３を検出するか、または駐車券の発券ボタンが操作されると、ステップＡ１に移る。
【００４５】
ステップＡ１では、駐車場入庫ゲート制御装置１０は、ＩＣカード３があるか否かを判定する。入庫電子マネー読み取りデバイス１１がＩＣカード３を検出すると、ＩＣカード３があると判定し、ステップＡ２に進み、駐車券の発券ボタンが操作されるとＩＣカード３がないと判定し、ステップＡ１１に進む。ステップＡ２では、入庫電子マネー決済部１３は、入庫電子マネー読み取りデバイス１１によってＩＣカード３に記録される電子マネーＩＤを読み取る。ステップＡ３では、入庫電子マネー決済部１３は、読み取った電子マネーＩＤをＰＯＳシステム２０に送信する。
【００４６】
ステップＡ４では、入庫データ記録部２３１は、入庫電子マネー決済部１３から電子マネーＩＤを受信する。ステップＡ５では、タイマ制御部２３４は、現在時刻、すなわち入庫電子マネー決済部１３から電子マネーＩＤを受信した時刻を、計時部を参照して取得する。ステップＡ６では、タイマ制御部２３４は、取得した時刻を入庫時刻として入庫データ記録部２３１に送る。
【００４７】
ステップＡ７では、入庫データ記録部２３１は、入庫電子マネー決済部１３から受信した電子マネーＩＤおよびタイマ制御部２３４から受け取った入庫時刻を関連付けて入庫記録データ２４２として記憶する。ステップＡ８では、ゲート開閉指示制御部２３２は、ゲートバーオープン指令を入庫ゲート制御部１４に送信する。
【００４８】
ステップＡ９では、入庫ゲート制御部１４は、ゲート開閉指示制御部２３２からゲートバーオープン指令を受信すると、ゲートを開くことを入庫開閉ゲート１２に指示する。ステップＡ１０では、入庫開閉ゲート１２は、ゲート開閉指示制御部２３２からゲートを開くことを指示されると、ゲートをオープン、つまりゲートを開いて、入庫処理を終了する。
【００４９】
ステップＡ１１では、駐車場入庫ゲート制御装置１０は、通常のチケット、つまり駐車券を発行する。ステップＡ１２では、駐車場入庫ゲート制御装置１０は、通常の入庫記録、すなわち入庫時刻をチケットに磁気記録して、ステップＡ８に進む。
【００５０】
図４は、店舗で代金を支払うときの駐車料金精算システム１での支払処理を示すフローチャートである。顧客が支払うべき支払代金をＩＣカード３の電子マネーで精算したとき、ステップＢ１に進む。ＩＣカード３の電子マネーで精算された支払代金は、サーバ２０１の記憶装置２４に電子マネーＩＤと関連付けて記憶される。支払処理は、顧客が支払いを行う度に行われる。
【００５１】
ステップＢ１では、電子マネー読み取りデバイス２１５は、支払代金を電子マネーで精算したＩＣカード３に記録されている電子マネーＩＤを読み取る。ステップＢ２では、支払い決済部２３３は、電子マネー読み取りデバイス２１５から受け取った電子マネーＩＤが入庫記録データ２４２にあるか否かを検索する。
【００５２】
ステップＢ３では、支払い決済部２３３は、データがあるか否か、すなわち電子マネー読み取りデバイス２１５から受け取った電子マネーＩＤが入庫記録データ２４２にあるか否かを判定する。電子マネー読み取りデバイス２１５から受け取った電子マネーＩＤが入庫記録データ２４２にあると判定すると、ステップＢ４に進み、電子マネー読み取りデバイス２１５から受け取った電子マネーＩＤが入庫記録データ２４２にないと判定すると、支払処理を終了する。
【００５３】
ステップＢ４では、支払い決済部２３３は、電子マネー読み取りデバイス２１５から受け取った電子マネーＩＤの電子マネーで支払われた支払代金に応じて受けることができる無料サービス時間を、駐車料金マスタ２４１に基づいて決定する。ステップＢ５では、支払い決済部２３３は、決定した無料サービス時間で入庫記録データ２４２の無料駐車時間を更新し、支払処理を終了する。すなわち、受け取った電子マネーＩＤと同じ電子マネーＩＤの無料駐車時間に代えて、決定した無料サービス時間を記憶し、支払処理を終了する。ステップＢ４は、決済状況取得ステップおよび割引条件決定ステップである。
【００５４】
図５は、車両２を出庫するときの駐車料金精算システム１での出庫処理を示すフローチャートである。出庫電子マネー読み取りデバイス３１がＩＣカード３を検出するか、または駐車券が挿入されると、ステップＣ１に移る。
【００５５】
ステップＣ１では、駐車場出庫ゲート制御装置３０は、ＩＣカード３があるか否かを判定する。出庫電子マネー読み取りデバイス３１がＩＣカード３を検出すると、ＩＣカード３があると判定し、ステップＣ２に進み、駐車券が挿入されるとＩＣカード３がないと判定し、ステップＣ１２に進む。ステップＣ２では、出庫電子マネー決済部３３は、出庫電子マネー読み取りデバイス３１によって、ＩＣカード３に記録される電子マネーＩＤを読み取る。ステップＣ３では、出庫電子マネー決済部３３は、読み取った電子マネーＩＤをＰＯＳシステム２０に送信する。
【００５６】
ステップＣ４では、駐車料金演算部２３５は、出庫電子マネー決済部３３から受信した電子マネーＩＤが入庫記録データ２４２にあるか否かを検索する。ステップＣ５では、駐車料金演算部２３５は、データにあるか否かを判定する。すなわち、出庫電子マネー決済部３３から受信した電子マネーＩＤが入庫記録データ２４２にあるか否かを判定する。出庫電子マネー決済部３３から受信した電子マネーＩＤが入庫記録データ２４２にあると判定すると、ステップＣ６に進み、出庫電子マネー決済部３３から受信した電子マネーＩＤが入庫記録データ２４２にないと判定すると、ステップＣ１２に進む。
【００５７】
ステップＣ６では、タイマ制御部２３４は、現在時刻、すなわち出庫電子マネー決済部３３から電子マネーＩＤを受信した時刻を、計時部を参照して取得し、取得した時刻を出庫時刻として駐車料金演算部２３５に送る。ステップＣ７では、駐車料金演算部２３５は、駐車料金を計算する。具体的には、駐車料金演算部２３５は、タイマ制御部２３４から受け取った出庫時刻と、入庫記録データ２４２として記憶される入庫時刻から駐車時間を算出する。そして、算出した駐車時間と、入庫記録データ２４２として記憶される無料駐車時間とから、割り引かれた駐車料金を引き落とし金額として算出する。図３に示したフローチャートのステップＡ５およびステップＣ６は、入出庫時刻取得ステップである。ステップＣ７は、駐車時間算出ステップおよび駐車料金算出ステップである。
【００５８】
ステップＣ８では、駐車料金演算部２３５は、引き落とし金額の引き落としを指令する駐車料金引き落とし指令を、出庫電子マネー決済部３３に送信する。駐車料金引き落とし指令は、引き落とし金額、つまり割り引かれた駐車料金を含む。出庫電子マネー決済部３３は、駐車料金引き落とし指令を受信すると、出庫電子マネー読み取りデバイス３１によって、受信した駐車料金引き落とし指令に含まれる割り引かれた駐車料金をＩＣカード３の電子マネーから引き落とす。
【００５９】
ステップＣ９では、ゲート開閉指示制御部２３２は、ゲートバーオープン指令を出庫ゲート制御部３４に送信する。ステップＣ１０では、出庫ゲート制御部３４は、ゲート開閉指示制御部２３２からゲートバーオープン指令を受信すると、ゲートを開くことを出庫開閉ゲート３２に指示する。ステップＣ１１では、出庫開閉ゲート３２は、出庫ゲート制御部３４からゲートを開くことを指示されると、ゲートをオープン、つまりゲートを開いて、出庫処理を終了する。
【００６０】
ステップＣ１２では、駐車場出庫ゲート制御装置３０は、チケットから入庫時刻および無料駐車時間を読み取り、読み取った入庫時刻および無料駐車時間を演算制御装置２３に送信する。ステップＣ１３では、演算制御装置２３は、駐車場出庫ゲート制御装置３０から入庫時刻および無料駐車時間を受信した時刻を出庫時刻とし、出庫時刻、ならびに受信した入庫時刻および無料駐車時間から、割り引かれた駐車料金を計算する。そして、計算した割り引かれた駐車料金を駐車場出庫ゲート制御装置３０に送信する。
【００６１】
ステップＣ１４では、駐車場出庫ゲート制御装置３０は、演算制御装置２３から受信した割り引かれた駐車料金を表示し、駐車料金が現金で投入され、精算が完了すると、ステップＣ９に進む。チケットに磁気記録された無料駐車料金は、店舗での支払代金に応じた無料駐車時間が、従来の技術で用いる駐車券決済処理端末によって記録されたものである。
【００６２】
このように、駐車場の入出庫口に設置される入庫電子マネー読み取りデバイス１１および出庫電子マネー読み取りデバイス３１によって、店舗での代金を決済するためのＩＣカード３を識別するための電子マネーＩＤが記録されているＩＣカード３から電子マネーＩＤが読み取られる。タイマ制御部２３４によって、車両の入出庫時に入庫電子マネー読み取りデバイス１１および出庫電子マネー読み取りデバイス３１によって電子マネーＩＤが読み取られたときの入出庫時刻が取得される。支払い決済部２３３によって、前記店舗でＩＣカード３によって決済された決済状況、つまり支払金額の累積金額が、電子マネーＩＤごとの支払代金の累計金額を記憶する記憶装置２４から取得される。支払い決済部２３３によって、支払い決済部２３３によって取得された決済状況に応じて、駐車料金を割り引く割引条件、たとえば無料駐車時間が決定される。駐車料金演算部２３５によって、タイマ制御部２３４によって取得された入出庫時刻から駐車時間が算出される。そして、駐車料金演算部２３５によって算出された駐車時間と駐車料金演算部２３５によって、支払い決済部２３３によって決定された割引条件とから割り引かれた駐車料金が算出される。
【００６３】
したがって、駐車券などの紙媒体あるいは小型無線端末などの専用の端末装置を用いることなく、ＩＣカードなどの決済装置が使用された決済状況、たとえばＩＣカードによる店舗での支払代金に応じて割り引いた駐車料金を算出することができる。
【００６４】
さらに、ＩＣカード３によって、電子マネーを表す電子マネー情報が記録される。ＩＣカード３に記録される電子マネー情報が示す電子マネーによって決済する出庫電子マネー読み取りデバイス３１および出庫電子マネー決済部３３によって、駐車料金演算部２３５によって算出された割り引かれた駐車料金が０円でないとき、駐車料金演算部２３５によって算出された割り引かれた駐車料金が、ＩＣカード３に記録される電子マネー情報が示す電子マネーによって決済される。したがって、駐車料金の精算をＩＣカード３に記録される電子マネーで行うことができ、顧客は、出庫口で、ＩＣカード３で電子マネーＩＤを読み取らせるとともに、そのＩＣカード３の電子マネーで割り引かれた駐車料金を精算することができる。
【００６５】
さらに、ＩＣカード３が使用された決済状況は、タイマ制御部２３４によって取得された入出庫時刻から算出される駐車時間の間に、前記駐車場に係る店舗で、ＩＣカード３に記録される電子マネーＩＤに係る支払方法によって支払われた支払代金の累積金額である。したがって、駐車場に係る複数の店舗で、電子マネーでの支払方法およびクレジットカードでの支払方法など識別情報、たとえば電子マネーＩＤと対応付けが可能な支払方法での支払代金について適用可能である。
【００６６】
さらに、駐車場の入出庫口に設置され、店舗での代金を決済するためのＩＣカード３を識別するための電子マネーＩＤが記録されているＩＣカード３から電子マネーＩＤを読み取る入庫電子マネー読み取りデバイス１１および出庫電子マネー読み取りデバイス３１を含み、車両の入出庫時に入庫電子マネー読み取りデバイス１１および出庫電子マネー読み取りデバイス３１によって電子マネーＩＤが読み取られたときの入出庫時刻に基づいて駐車料金を算出する駐車料金算出装置によって駐車料金を算出するにあたって、図３に示したフローチャートのステップＡ５および図５に示したフローチャートのステップＣ６では、入庫電子マネー読み取りデバイス１１および出庫電子マネー読み取りデバイス３１によって電子マネーＩＤが読み取られたときの入出庫時刻を取得する。図４に示したフローチャートのステップＢ４では、前記店舗でＩＣカード３によって決済された決済状況、たとえば支払代金の累計金額を、電子マネーＩＤごとの支払代金の累計金額を記憶する記憶装置２４から取得する。図４に示したフローチャートのステップＢ４では、図４に示したフローチャートのステップＢ４で取得された決済状況に応じて、駐車料金を割り引く割引条件を決定する。図５に示したフローチャートのステップＣ７では、図３に示したフローチャートのステップＡ５および図５に示したフローチャートのステップＣ６で取得された入出庫時刻から駐車時間を算出する。そして、図５に示したフローチャートのステップＣ７では、図５に示したフローチャートのステップＣ７で算出された駐車時間と図４に示したフローチャートのステップＢ４で決定された割引条件とから割り引かれた駐車料金を算出する。
【００６７】
したがって、駐車券などの紙媒体あるいは小型無線端末などの専用の端末装置を用いることなく、ＩＣカードなどの決済装置が使用された決済状況、たとえばＩＣカードによる店舗での支払代金に応じて割り引いた駐車料金を算出することができる。
【符号の説明】
【００６８】
１  駐車料金精算システム
２  車両
３  ＩＣカード
１０  駐車場入庫ゲート制御装置
１１  入庫電子マネー読み取りデバイス
１２  入庫開閉ゲート
１３  入庫電子マネー決済部
１４  入庫ゲート制御部
２０  ＰＯＳシステム
２１  入力装置
２２  出力装置
２３  演算制御装置
２４  記憶装置
３０  駐車場出庫ゲート制御装置
３１  出庫電子マネー読み取りデバイス
３２  出庫開閉ゲート
３３  出庫電子マネー決済部
３４  出庫ゲート制御部
２０１  サーバ
２０２  ＰＯＳ端末
２１１  キーボード
２１２  マウス
２１３  スキャナ
２１４  タッチパネル
２１５  電子マネー読み取りデバイス
２２１  ディスプレイ
２２２  プリンタ
２３１  入庫データ記録部
２３２  ゲート開閉指示制御部
２３３  支払い決済部
２３４  タイマ制御部
２３５  駐車料金演算部
２４１  駐車料金マスタ
２４２  入庫記録データ
【図１】
2010286928.tif 000003
【図２】
2010286928.tif 000004
【図３】
2010286928.tif 000005
【図４】
2010286928.tif 000006
【図５】
2010286928.tif 000007